(57)【要約】本発明は、側面３１および歯３２を有するロックされる要素３、および、主要なハウジング２１、第２のハウジング２２、延長部２３および爪２４を有して、ロックされる要素３を囲むことによってロッキングを提供する、ロックする要素２、を備える、内燃機関の冷却水循環ユニットにおいて用いられるサーモスタットボディパーツのアセンブリに用いられる非係合ロックシステムに関する。【選択図】図１
2019509430.tif 000002
【特許請求の範囲】
【請求項１】
内燃機関の冷却水循環のコンポーネントであるサーモスタットボディを組み立てるために用いられる非係合ロックシステム（１）であって、
−円筒状の形状および内部に互いに組み立てられるサーモスタット要素を有し、そして、バルブを熱的要素の反対方向に押しつけるばねをガイドする少なくとも主要なハウジング（２１）を有し、そして、熱的要素のためのガイドホールおよび熱的要素によって押されるバルブを提供する少なくとも第２のハウジング（２２）を有する、少なくともロックする要素（２）、
−円筒状の形状を有し、そして、側面（３１）からロックする要素（２）によって囲まれ、そして、主要なハウジング（２１）の内部にばねを保つ、少なくともロックされる要素（３）、
−ロックする要素（２）のボディから突出することによりばね機構のためのハウジングを提供する、少なくとも４つの延長部（２３）、
−延長部（２３）の端点上にあり、そして、延長部（２３）に対して垂直に位置し、そして、ジョイント面上で側面（３１）と鋭角を有して、ロックする要素（２）とロックされる要素（３）との間にロックインを提供する、少なくとも４つの爪（２４）、
−外側面は歯を有し、内側面はばねをガイドするために適切な形状を有し、事実、ロックされる要素（３）の一部であり、そして延長部（２３）と平行である、少なくとも２つの側面（３１）、
−外側面（３１）上にあり、そして、重なることによってＴ形の形状を有し、そして、堅牢なロッキングを有するためにジョイント面上で側面（３１）と鋭角を有する、少なくとも４つの歯（３２）、
によって基本的に特徴づけられる、非係合ロックシステム（１）。
【請求項２】
ロックする要素（２）のボディ上で等間隔に位置する延長部（２３）、および歯（３２）と係合するその爪（２４）、によって特徴づけられる、請求項１に記載の非係合ロックシステム（１）。
【発明の詳細な説明】
【技術分野】
【０００１】
本発明は、内燃機関の冷却水循環システムにおいて用いられるサーモスタット機構のボディのための非係合（ｕｎｅｎｇａｇｅｄ）ロックシステムに関する。
【背景技術】
【０００２】
エンジンを設計温度周辺に保つためにサーモスタットが用いられる。サーモスタットのいかなる欠陥（ｆａｉｌｕｒｅ）が生じた場合も、過熱、遅延加熱または低温の下での作業になければならない。このように、サーモスタットの欠陥は、モーターのための決定的な重要性を有する。これにより、サーモスタット機構を組み立てることは、堅牢な長持ちする製品を有するために重要である。
【０００３】
技術の周知の状況においてサーモスタットボディパーツのアセンブリに、ねじ、ボルトまたはナットのような機械的接続要素が用いられる。これに加えて、プラスチック溶接方法またはガイドホールによってパーツをガイドすることも使用される。
【０００４】
サーモスタットボディのボディパーツを組み立てるための機械的接続要素を使用することは、ジョイント面上の破壊強さを減少させる。それでも、プラスチック溶接方法のいずれも、十分な強さを達成することができない。また、ガイド方法によってボディを組み立てるために、１つのガイドホールが１つの部分に開けられ、ガイド部品をジョイントするための小さい歯が他の部分に作られる。この方法では、ガイド部分上のホールおよび他の部分上のガイド爪は、破壊強さに負の影響を及ぼす。
【０００５】
本発明で、ボディパーツの破壊強さを増加させることを助ける堅牢なロックシステムを作成することによって、組立てによって生じるサーモスタットボディパーツの変形の課題は、解決される
【発明の概要】
【発明が解決しようとする課題】
【０００６】
ジョイント面上の接続部分の破壊強さを増加させる非係合ロックシステムを実施することは、目的である。
【０００７】
ロックする要素上に形づくられる爪により囲むことによってロックされる要素をロックする堅牢なロックシステムを実施することも、目的である。
【０００８】
さらにもう別の本発明の目的は、簡単な成形性を有するために単純な形状を有し、特別な接続要素またはガイドホールを有する必要なしに生産できて容易にインストール可能な、非係合ロックシステムを実施することである。
【０００９】
本発明は、詳述される以下の図によって説明される。
【図面の簡単な説明】
【００１０】
【図１】図１は、非係合ロックシステムの分解図である。
【図２】図２は、非係合ロックシステムの組み立て図である。
【図３】図３は、異なる角度からジョイント面を示す非係合ロックシステムのＡＡ断面図である。
【発明を実施するための形態】
【００１１】
内燃機関の冷却水循環システムに用いられるサーモスタットボディのための堅牢なアセンブリを提供する非係合ロックシステムは、
−円筒状の形状および内部に互いに組み立てられるサーモスタット要素を有し、そして、バルブを熱的要素の反対方向に押しつけるばねをガイドする少なくとも主要なハウジング２１を有し、そして、熱的要素のためのガイドホールおよび熱的要素によって押されるバルブを提供する少なくとも第２のハウジング２２を有する、少なくともロックする要素２、
−円筒状の形状を有し、そして、側面３１からロックする要素２によって囲まれ、そして、主要なハウジング２１の内部にばねを保つ、少なくともロックされる要素３、
−ロックする要素２のボディから突出することによりばね機構のためのハウジングを提供する、少なくとも４つの延長部２３、
−延長部２３の端点上にあり、そして、延長部２３に対して垂直に位置し、そして、ジョイント面上で側面３１と鋭角を有して、ロックする要素２とロックされる要素３との間にロックインを提供する、少なくとも４つの爪２４、
−外側面は歯を有し、内側面はばねをガイドするために適切な形状を有し、事実、ロックされる要素３の一部であり、そして延長部２３と平行である、少なくとも２つの側面３１、
−外側面３１上にあり、そして、重なることによってＴ形の形状を有し、そして、堅牢なロッキングを有するためにジョイント面上で側面３１と鋭角を有する、少なくとも４つの歯３２、
を基本的備える。
【００１２】
非係合ロックシステム１は、ロックされる要素３が外側面から３１囲むことによりロックする要素２によってロックされるロックイン原理に基づく。ロックする要素２は、主要なハウジング２１、第２のハウジング２２、延長部２３および爪２４を備え、ロックされる要素３は、側面３１および延長部３２を備える。
【００１３】
本発明の一実施形態において、主要なハウジング２１は、ばねをガイドし、そしてロックする要素２から突出している延長部２３を有し、第２のハウジング２２は、熱的要素および熱的要素によって押されるバルブをガイドする。好ましくは４つのそして好ましくは等間隔に位置する延長部２３がある。延長部２３の端点上にそして延長部２３に対して垂直に位置する好ましくは４つの爪２４がある。これらの爪２４は、歯３２によって、ロックされる要素３の外側からロックする要素２とロックされる要素３との間の接続を提供する。
【００１４】
延長部２３の端点上にあるＴ形の爪２４は、ロックされる要素３の側面３１上にある歯３２に載る。この方法によって、ロックインは提供される。側面３１は、事実、延長部２３と平行であるロックされる要素３の一部である。
【００１５】
ロックされる要素３は、ばねのための寄りかかり点を提供して、ロックする要素２内部にばね機構を保つ。また、爪２４は、側面３１と、歯３２とのそれらのジョイント面との間に鋭角を有し、同様に歯３２は、側面３１と、爪２４とのそれらのジョイント面との間に鋭角を有する。このようにして、堅牢なロック機構が提供される。
【００１６】
本発明の一実施形態において、熱的要素およびばね用の適切な機構は、ロックする要素２およびロックされる要素３のロッキングによって得られる。したがって、堅牢なロック機構を有する良好なハウジングがサーモスタットアセンブリのために提供される。
【符号の説明】
【００１７】
参照符号の説明は以下のとおり。
１…非係合ロックシステム
２…ロックする要素
２１…主要なハウジング
２２…第２のハウジング
２３…延長部
２４…爪
３…ロックされる要素
３１…側面
３２…歯
【図１】
2019509430.tif 000003
【図２】
2019509430.tif 000004
【図３】
2019509430.tif 000005
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
内燃機関の冷却水循環のコンポーネントであるサーモスタットボディを組み立てるために用いられる非係合ロックシステム（１）であって、
−円筒状の形状を有し、そして、少なくとも主要なハウジング（２１）を有し、そして、少なくとも第２のハウジング（２２）を有する、少なくともロックする要素（２）、
−円筒状の形状を有し、そして、側面（３１）からロックする要素（２）によって囲まれる、少なくともロックされる要素（３）、
−ロックする要素（２）から突出する、少なくとも４つの延長部（２３）、
−延長部（２３）の端点上にあり、そして、延長部（２３）に対して垂直に位置し、そして、ジョイント面上で側面（３１）と鋭角を有して、ロックする要素（２）とロックされる要素（３）との間にロックインを提供する、少なくとも４つの爪（２４）、
−外側面は歯を有し、事実、ロックされる要素（３）の一部であり、そして延長部（２３）と平行である、少なくとも２つの側面（３１）、
−Ｔ形状の前記爪（２４）と重なるための、そして外側面（３１）上にある、少なくとも４つの歯（３２）、
によって基本的に特徴づけられる、非係合ロックシステム（１）。
【請求項２】
ロックする要素（２）のボディ上で等間隔に位置する延長部（２３）、および歯（３２）と係合するその爪（２４）、によって特徴づけられる、請求項１に記載の非係合ロックシステム（１）。
【国際調査報告】
2019509430.tif 000006
2019509430.tif 000007